(57)【要約】      （修正有）【課題】装着者が息苦しさを覚えることが無いとともに、ウイルスの浸入を有効に防止可能なフェイスシールドを提供する。【解決手段】シールド本体２とシールド本体に装着された固定具と固定具に連結されたベルトとベルトに装着されたクッション材を具備し、シールド本体は、上方部分に形成した一対の貫通溝３と貫通溝のそれぞれの下方に形成した係止孔４と幅方向の両端部分に形成した縦溝部５を具備し、固定具は、天井部と正面側壁部と背面側壁部と正面側壁部内面に突設した係止突起を具備し、天井部が貫通溝を貫通した状態で係止突起を係止孔に係止することでシールド本体に固定され、ベルトは、固定具の背面側壁部に引っ掛けた状態で固定具に装着されるとともにシールド本体に形成した縦溝部を貫通した状態で先端を装着者の頭部の後方に回して互いに連結することで頭部に装着可能とした。【選択図】図３
0003228695.tif 000002
【実用新案登録請求の範囲】
【請求項１】
人の頭部に装着されて装着した者の顔の正面側を覆うためのフェイスシールドであって、
透明なプラスチック製のシールド本体（２）と、
該シールド本体（２）に着脱自在に装着された固定具（８）と、
該固定具（８）に連結された、両端を互いに連結可能としたベルト（１４）と、
該ベルト（１４）に装着されたクッション材（１５）と、を具備し、
前記シールド本体（２）は、
上方部分に間隔を置いて形成した一対の貫通溝（３）と、該貫通溝（３）のそれぞれの下方に形成した係止孔（４）と、幅方向に見た両端部分近傍に形成した縦溝部（５）と、を具備し、
前記固定具（８）は、
天井部（９）と、該天井部（９）の一端側に下方に向けて連設された正面側壁部（１０）と、前記天井部（９）の他端側に下方に向けて連設された背面側壁部（１１）と、前記正面側壁部（９）の内面に突設した係止突起（１２）と、を具備し、
前記天井部（９）で前記貫通溝（３）を貫通させて前記正面側壁部（１０）をシールド本体（２）の外面側に配置した状態で、前記係止突起（１２）を前記係止孔（４）に係止することでシールド本体（２）に固定することとし、
前記ベルト（１４）は、
前記固定具（８）の背面側壁部（１１）の内面側に引っ掛けた状態で前記固定具（８）に装着されるとともに、前記シールド本体（２）に形成した縦溝部（５）を貫通し、前記クッション材（１５）を装着者の額に当接した状態でベルトの先端を装着者の頭部の後方に回して互いに連結することで、頭部に装着可能とした、ことを特徴とするフェイスシールド。
【請求項２】
前記クッション材（１５）がスポンジであることを特徴とする請求項１に記載のフェイスシールド。
【請求項３】
前記ベルト（１４）が布製であることを特徴とする請求項１又は請求項２に記載のフェイスシールド。
【請求項４】
前記固定具（８）における背面側壁部（１１）の内面側に、前記ベルト（１４）の長手方向に沿った両端が挿入される一対の掛止溝（１３）が形成されたことを特徴とする請求項１乃至請求項３のいずれかに記載のフェイスシールド。
【考案の詳細な説明】
【技術分野】
【０００１】
本考案はウイルス等の飛沫感染を防止するためのフェイスシールドに係り、より詳しくは、装着している者が息苦しくなることがないとともに、装着者とフェイスシールドの間にウイルス等が容易に浸入することを有効に防止可能としたフェイスシールドに関する。
【背景技術】
【０００２】
従来、医師、看護師等の医療従事者や理美容師、食品を扱う者、あるいは他人を前にして話等をする者は、インフルエンザウイルス等の飛沫感染を防止するために、フェイスシールドを付ける場合があった。
【０００３】
ここで、従来のフェイスシールドを簡単に説明すると、従来のフェイスシールドは、透明なプラスチック製のシールド本体を有しており、このシールド本体には、シールド本体を装着する者の頭部に固定するためのベルトが取り付けられている。また、ベルトには、装着する者の額に当接するスポンジ等が取り付けられており、このスポンジを額に当接した状態でベルトを頭部の後側に回し、ベルトの両端を互いに連結することで、シールド本体が装着者の顔の前に位置した状態で、フェイスシールドを頭部に固定することが可能であった。
【０００４】
そして、これにより、フェイスシールドを頭部に装着することにより、対面している相手方や面前にいる他人、扱っている食品等に飛沫が飛ぶことを有効に防止することが可能である。
【０００５】
また、従来から雨除けのバイザーが提案されており、この雨除けバイザーをフェイスシールドとして用いることも考えられている。即ち、この従来から提供されている雨除けバイザーは、透明なバイザー部にスペーサーが取り付けられており、このスペーサーを介してバイザー部にベルトが取り付けられている。そのため、ベルトを頭部に巻きつけることでバイザー部を顔面の正面に配置することができ、それにより飛沫防止を可能にすることが可能である。更に従来の雨除けバイザーでは、スペーサーを介してベルトがバイザー部に取り付けられているために、バイザー部と顔との間に空間を確保することができ、鍔つきのヘルメットや帽子を被った状態や、メガネをかけた状態でも装着することができ、更に、装着するも者が息苦しくなることを防止できるという効果がある。
【先行技術文献】
【特許文献】
【０００６】
【特許文献１】実用新案登録第３１７５２６５号公報
【特許文献２】実用新案登録第３１９４５３９号公報
【考案の概要】
【考案が解決しようとする課題】
【０００７】
しかしながら、従来のフェイスシールドでは、前述したように、シールド本体にベルトが取り付けられているとともにベルトにはスポンジ等が装着され、このスポンジは装着する者の額に当接する構成であるために、装着した場合には、顔とシールド本体と間の空間があまりなく、そのために、装着している者が息苦しく、更に、装着している者の息によってシールド本体が曇ってしまうという欠点も指摘されていた。
【０００８】
この点、前述したような、スペーサーを介してバイザーにベルトを取り付けた雨除けバイザーでは、スペーサーの存在によって、顔とバイザー部との間に空間を持つことができるために、装着するも者が息苦しくなることを防止できるという効果がある。
【０００９】
しかし、従来の雨除けバイザーにおいては、スペーサーを介してバイザー部にベルトが取り付けられているため、装着している者の額とバイザー部との間の上方部分に開口部分が形成されてしまっていた。そのために、この開口部分を介して、空中に浮遊するウイルス等が、顔とバイザー部との間に入り込み、装着者が感染してしまうおそれは否定できなかった。
【００１０】
また、従来の雨除けバイザーでは、ヘルメットや帽子を被った状態での装着を前提としており、スペーサーはヘルメットや防止の鍔部分に当接するために、ヘルメットや帽子を被らずに装着した場合には、スペーサーが額部分に当たってしまい痛いという問題点が考えられる。
【００１１】
そこで、本考案は、頭部に装着した場合において、装着した者が息苦しさを覚えることが無いとともに、顔とシールド部分との間の上方部分を介してウイルス等が容易に入り込むことを有効に防止することが可能なフェイスシールドを提供することを課題としている。
【課題を解決するための手段】
【００１２】
本考案のフェイスシールドは、
頭部に装着されて顔の正面側を覆うためのフェイスシールドであって、
透明なプラスチック製のシールド本体と、
該シールド本体に着脱自在に装着された固定具と、
該固定具に連結された、両端を互いに連結可能としたベルトと、
該ベルトに装着されたクッション材と、を具備し、
シールド本体は、
上方部分に間隔を置いて形成した一対の貫通溝と、貫通溝のそれぞれの下方に形成した係止孔と、幅方向の両端部分近傍に形成したスリット部と、を具備し、
前記固定具は、
天井部と、天井部の一端側に下方に向けて連設された正面側壁部と、前記天井部の他端側に下方に向けて連設された背面側壁部と、前記正面側壁部の内面に突設した係止突起と、を具備し、
前記天井部でシールド本体の貫通溝を貫通させて正面側壁部をシールド本体の外面側に配置した状態で、係止突起を係止孔に係止することでシールド本体に固定することとし、
前記ベルトは、
前記固定具の背面側壁部の内面側に引っ掛けた状態で固定具に装着されるとともに、シールド本体に形成したスリット部を貫通し、クッション材を装着者の額に当接した状態でベルトの先端を装着者の頭部の後方に回して互いに連結することで、頭部に装着可能とした、ことを特徴としている。
【考案の効果】
【００１３】
本考案のフェイスシールドでは、シールド本体に装着された固定具の背面側壁部の内面側にベルトを連結しているため、ベルトを装着者の頭部に巻きつけることで、装着者にシールド本体を装着した場合には、顔とシールド本体との間に、固定具の分だけ空間を確保することができる。そのために、装着している者が息苦しさを覚えたり、シールド本体が曇ったりすることを防止することができる。
【００１４】
また、固定具は、シールド本体の上方部分に形成した一対の貫通溝を貫通してシールド本体に固定されており、それにより、シールド本体の上端は、固定具が固定されている部分の上方に伸びている。そのため、シールド本体は装着している者の額の上方をも覆うことができ、空中に浮遊するウイルス等が、顔とシールド本体との間の上方部分を介して入り込んでくることを有効に防止することができる。
【００１５】
更に、本考案のフェイスシールドでは、ベルトにはクッション材が装着されており、クッション材を装着者の額に当接した状態で頭部に装着することとしているために、固定具が装着者の額に直接に当たることが無く、装着者が痛い思いをすることが無い。
【図面の簡単な説明】
【００１６】
【図１】本考案のフェイスシールドの実施例の正面側斜視図である。
【図２】本考案のフェイスシールドの実施例の裏面側斜視図である。
【図３】本考案のフェイスシールドの実施例におけるシールド本体を説明するための正面図である。
【図４】本考案のフェイスシールドの実施例における固定具を説明するための図である。
【図５】本考案のフェイスシールドの実施例における固定具を説明するための図である。
【図６】本考案のフェイスシールドの実施例を頭部に装着した状態を示す図である。
【考案を実施するための形態】
【００１７】
本考案のフェイスシールドはシールド本体を備えており、このシールド本体は、透明なプラスチック製としており、装着した者の顔の正面側を覆うために用いられる。
【００１８】
そして、シールド本体には、着脱自在にして固定具が装着され、この固定具には、両端を互いに連結可能としたベルトが連結されており、このベルトにはクッション材が装着されている。
【００１９】
そして、シールド本体には、上方部分に間隔を置いて一対の貫通溝が形成されており、この貫通溝のそれぞれの下方には係止孔が形成され、更に、幅方向の両端部分近傍にはそれぞれ、縦溝部が形成されている。
【００２０】
一方、固定具は、天井部と正面側壁部と背面側壁部を有しており、正面側壁部は天井部の一端側に下方に向けて連設され、背面側壁部は天井部の他端側に下方に向けて連設され、正面側壁部の内面には係止突起が突設されている。
【００２１】
そして、天井部でシールド本体の貫通溝を貫通させて正面側壁部をシールド本体の外面側に配置した状態で、係止突起をシールド本体に形成した係止孔に係止することで、シールド本体に固定することとしている。
【００２２】
また、ベルトは、固定具の背面側壁部の内面側に引っ掛けた状態で固定具に装着されるとともに、シールド本体に形成した縦溝部を貫通しており、クッション材を装着者の額に当接した状態で、先端を装着者の頭部の後方に回して互いに連結することで、頭部に装着可能としている。
【００２３】
ここで、クッション材をスポンジ製にし、ベルトは布製にすると良い。そうすることで、装着者の額をクッション材で保護することができるとともに、ベルト全体を装着者の頭部にフィットさせることができ、装着者に不快感を与えることなく、フェイスシールドを頭部に装着することができる。
【００２４】
また、固定具における背面側壁部の内面に、ベルトの長手方向に沿った両端が挿入される一対の掛止溝を形成するとよく、これにより、ベルトを固定具の背面側壁部に引っ掛けることが容易となる。
【実施例１】
【００２５】
本考案のフェイスシールドの実施例について図面を参照して説明すると、図１及び図２は本実施例のフェイスシールドの斜視図であり、図１は正面側から示した斜視図、図２は裏面から示した斜視図である。
【００２６】
そして、図において１が、本実施例のフェイスシールドであり、本実施例のフェイスシールド１は、装着者の顔の正面側を覆うためのシールド本体を有している。即ち、図において２がシールド本体であり、本実施例において前記シールド本体２は、透明なプラスチック製とし、人の顔部分の曲面に沿って湾曲自在な柔軟素材により形成し、装着者の顔の正面側及び側面側を十分に覆うことができる幅としている。またシールド本体２は、顎の下部分から額の上方部分までを覆うことができる長さとしており（図６参照）、これにより、装着したときにシールド本体２と装着者の顔の上方部分を介してシールド本体の裏面側にウイルス等が浸入してくることを有効に防止可能としている。
【００２７】
次に、図１及び２において８は固定具である。即ち、本実施例において前記シールド本体２には、固定具８が取り付けられており、この固定具８は脱着自在としている。そして、この固定具８は、後述するベルトをシールド本体２に取り付けるために用いられる。
【００２８】
ここで、前記固定具８について説明すると、図４、５は固定具８を説明するための図であり、図４は側面形状を示し、図５は斜視図である。そして、前記固定具８は、平面視野を長方形状とした平板状の天井部９を有しており、この天井部９の一端側には、下方に向けて正面側壁部１０が連設されている。この正面側壁部１０は、天井部９とほぼ同じ幅としており、内面には、係止突起１２が突設され、シールド本体２の外面側に配置される。
【００２９】
一方、前記天井部９の他端側には、下方に向けて背面側壁部１１が連設されている。そして背面側壁部１１は、天井部９とほぼ同じ幅としており、前記正面側壁部１０よりも長い高さ寸法とし、シールド本体２の裏面側に配置される。また、背面側壁部１１における内面側には、開口側が互いに対向している一対の掛止溝１３が形成されている。そして、対向している開口側は上下方向に向いており、この掛止溝１３は、後述するベルトを背面側壁部１１に引っ掛けて取り付けるために用いられる。
【００３０】
なお、前記掛止溝１３について説明すると、本実施例においては、前記背面側壁部１１の下端に正面側壁部１０側に向けて延長部１６を連設し、この延長部１６の先端部に上方に向けて下方側溝壁部１７を連設することで、下側の掛止溝１３を形成している。そして、前記天井部における背面側壁部１１の近傍側、具体的には下方側溝壁部１７に対向可能な位置に、下方に向けて上方側溝壁部１８を連設し、これにより上側の掛止溝１３を形成している。
【００３１】
そして、このように構成される固定具８は、天井部９で前記シールド本体２を貫通することで、正面側壁部１０をシールド本体２の外面側に配置し、その状態でシールド本体２に取り付けられる。この関係について図３を用いて説明すると、図３はシールド本体２の正面図であり、図において、シールド本体２の上方部分には。一対の横長の貫通孔３が、間隔を置いて左右側に形成されており、この貫通孔３は、前記天井部９が貫通可能な幅とし、それぞれの下側には、正面側壁部１０の内面に突設した係止突起１２が挿入可能な径の係止孔４が形成されている。
【００３２】
そして前記固定具８は、前記天井部９が前記貫通溝３を貫通し、正面側壁部１０をシールド本体２の外面側に配置し、その状態で、前記係止突起１２を前記係止孔４に挿入して係止することで、シールド本体２に固定されている。そしてこれにより、正面側壁部１０はシールド本体２の外面側に配置され、背面側壁部１１はシールド本体２の裏面側に配置される。そのため、前記シールド本体２に形成した係止孔４は、天井部９が前記貫通溝３を貫通した状態において係止突起１２に対向する位置に形成されている。
【００３３】
なお、図３において６は、天井部９が貫通溝３を貫通するときに、貫通孔３をわずかに広げるための貫通孔用スリットであり、これにより天井部３の貫通を容易にしている。また、図３において７は、係止突起１２を前記係止孔４に挿入する際に係止孔４を広げて挿入を容易にするための掛止孔用スリットである。
【００３４】
次に、図１、２において１４はベルトであり、このベルト４は、固定具８を介してシールド本体２に取り付けられ、本実施例のフェイスシールド１を装着者の頭部に固定するために用いられる。そして、本実施例において前記ベルト１４はナイロン製としており、先端部分は面ファスナー等により互いに連結可能としている。但し、必ずしもナイロン製にする必要は無く、いずれの素材でも良い。
【００３５】
ここで、前記ベルト１４をシールド本体２に取り付ける方法について説明すると、前記ベルト１４は、その長手方向に沿った両端部分が、前記固定具８における背面側壁部１１の内面側に形成した一対の掛止溝１３内に挿入されるようにして、背面側壁部１１の内面に引っ掛けられている。
【００３６】
また、前記ベルト１４は、前記シールド本体２に形成した一対のスリットを貫通している。即ち、図３において、前記シールド本体２の上方側の左右部分、具体的には前記貫通溝３の外側部分には、ベルト１４が十分に貫通可能な上下方向の寸法を有するスリット５が形成され、前記ベルト１４は、前記背面側壁部１１の内面に引っ掛けられた状態で、前記スリット５を貫通してシールド本体２の正面側に出ている。そしてこれにより、図１、２に示すように、ベルト１４の両端を装着者の頭部の後方に回したときに、シールド本体２が装着者の顔部分の曲面に沿って湾曲し、顔全体を覆うことを可能としている。
【００３７】
次に、図１、２において１５はクッション材である。即ち、前記ベルト１４には、装着者の額部分が当接する箇所に、クッション材としてスポンジ１５が取り付けられている。そしてこれにより、装着したときに装着者の額が痛くなることを防止している。なお本実施例においてクッション材１５は、両端を前記ベルト１４に縫製、接着等で固定することで、ベルト１４に取り付けている。
【００３８】
次に、このように構成される本実施例のフェイスシールド１の使用方法について説明すると、図６に示されるように、本実施例のフェイスシールド２を頭部に取り付ける場合には、クッション材１５が装着者の額部分に当接するようにした後に、ベルト１４の両端を装着者の頭部の後方に回し、ベルト１４の先端を互いに連結する。そうすると、ベルト１４は固定部８における背面側壁部１１の掛止溝１３に掛止されつつ背面側壁部１１の内面側に引っ掛けられ、固定具８はシールド本体２に取り付けられ、更にベルト１４はシールド本体２に形成したスリット５を貫通しているために、ベルト１４の両端を装着者の頭部の後方に回しベルト１４の先端を互いに連結すると、シールド本体２は、装着者の顔部分の曲面に沿って湾曲しつつ、装着者の顔の正面側に配置され、それにより、飛沫を防止することができる。
【００３９】
そしてこのとき、本実施例のフェイスシールド１では、天井部９と天井部９の一端側に連設した正面側壁部１０と天井部９の他端側に連設した背面側壁部１１で固定具８を構成し、シールド本体２の外面に正面側壁部１０を配置し、シールド本体２の裏面に背面側壁部１１を配置し、背面側壁部１１にベルトを連結しているため、ベルトを装着者の頭部に巻きつけることで、装着者にシールド本体を装着した場合には、顔とシールド本体との間に、天井部９の長さ分の空間を確保することができる。そのために、装着している者が息苦しさを覚えたり、シールド本体が曇ったりすることを防止することができる。
【００４０】
また、固定具は、シールド本体の上方部分に形成した一対の貫通溝を貫通してシールド本体に固定されており、それにより、シールド本体の上端は、固定具が固定されている部分の上方に伸びている。そのため、シールド本体は装着している者の額の上方をも覆うことができ、空中に浮遊するウイルス等が、顔とシールド本体との間の上方部分を介して入り込んでくることを有効に防止することができる。
【００４１】
更に、本実施例のフェイスシールドでは、ベルトにはクッション材が装着されており、クッション材を装着者の額に当接した状態で頭部に装着することとしているために、固定具が装着者の額に直接に当たることが無く、装着者が痛い思いをすることが無い。なお図６において２０は装着者の頭部、１９は装着者がかけているメガネであり、このように、本実施例のフェイスシールド１では、顔とシールド本体との間に空間を確保することができるため、メガネをかけた状態でも装着することが可能であるとともにメガネが曇ることも無い。
【００４２】
このように、本実施例のフェイスシールドでは、装着している者が息苦しさを覚えたり、シールド本体が曇ったりすることを防止することができるとともに、空中に浮遊するウイルス等が顔とシールド本体との間の上方部分を介して入り込んでくることを有効に防止することができ、更に、クッション材を装着者の額に当接することとしているために装着者の額を保護することが可能である。
【産業上の利用可能性】
【００４３】
本考案のフェイスシールドは、頭部に装着した場合に、装着した者が息苦しさを覚えることが無いとともに、顔とシールド部分との間にウイルス等が容易に入り込むことを有効に防止可能としているため、ウイルス等の飛沫感染を防止するためのフェイスシールドの全般に適用可能である。
【符号の説明】
【００４４】
１    フェイスシールド
２    シールド本体
３    貫通溝
４    係止孔
５    スリット
６    スリット
７    スリット
８    固定具
９    天井部
１０    正面側壁部
１１    背面側壁部
１２    係止突起
１３    掛止溝
１４    ベルト
１５    クッション材
１６    延長部
１７    下方側溝壁部
１８    上方側溝壁部
１９    メガネ
２０    頭部
【図１】
0003228695.tif 000003
【図２】
0003228695.tif 000004
【図３】
0003228695.tif 000005
【図４】
0003228695.tif 000006
【図５】
0003228695.tif 000007
【図６】
0003228695.tif 000008